(57)【要約】【課題】受光素子が外光を受光し難くすることにより正しい光学的位置検出を可能として位置検出の信頼性を高め、フォトセンサ（光学的位置検出装置）の低消費電力化をもたらす指針式電子時計を提供すること。【解決手段】フォトセンサの受光素子７は、透光性に構成された文字板３の近傍に配置され、且つ外光がほぼ侵入しないように構成された裏蓋１０４側から放射される発光素子６からの放射光に対向して配置されている。従って、外光を受光しないで前記発光素子６からの放射光を確実に受光することが実現でき、位置検出の信頼性が向上する。消費電力も低下する。【選択図】    図３
2007040863.tif 000002
【特許請求の範囲】
【請求項１】
ソーラ発電部と、指針を駆動する輪列と、発光部と受光部とを有し発光部からの放射光が輪列の各歯車に設けられた開口を通して受光部が受光することにより輪列の位置を検出する光学的位置検出装置と、文字板と、少なくとも前記ソーラ発電部と輪列と光学的位置検出装置とを収納可能な収納スペースを前記文字板とともに構成する外装ケース部と、を備えた指針式電子時計であって、前記文字板と前記外装ケース部における裏蓋部のどちらか一方は、前記ソーラ発電部が近傍に配置されるとともに透光性に構成されて前記一方の側から前記収納スペース側に外光が侵入可能であり、上記裏蓋部と文字板の他方は、非透光性に構成されて前記他方の側から前記収納スペース側に外光がほぼ侵入しないように構成され、前記受光部は、前記透光性に構成された文字板又は裏蓋部の近傍に配置され、且つ前記外光がほぼ侵入しないように構成された裏蓋部又は文字板側から放射される前記発光部からの放射光に対向して配置されていることを特徴とする指針式電子時計。
【請求項２】
請求項１に記載の指針式電子時計において、前記文字板は透光性に構成され、前記外装ケース部は非透光性に構成されていることを特徴とする指針式電子時計。
【請求項３】
請求項２に記載の指針式電子時計において、前記外装ケース部は金属から構成されていることを特徴とする指針式電子時計。
【請求項４】
請求項１から請求項３のいずれか１項に記載の指針式電子時計において、前記ソーラ発電部は、ソーラ基板とソーラ基板に配置されたソーラ発電層とを有し、前記ソーラ基板は、非金属で且つ透光性に構成されていることを特徴とする指針式電子時計。
【請求項５】
請求項３に記載の指針式電子時計において、複数個のソーラ発電層が平面視で互いに離間して配置され隣接するソーラ発電層間に平面間隙が形成されており、平面視で前記受光部と前記平面間隙との間に、前記平面間隙から入射され前記受光部に至る外光が遮蔽される遮蔽部が設けられていることを特徴とする指針式電子時計。
【請求項６】
請求項２から請求項５のいずれか１項に記載の指針式電子時計において、前記文字板、前記ソーラ発電部には、輪列の指針支持軸部が挿入され該指針指示軸部の周囲との間に空隙を有する指針支持軸部挿入開口部が形成され、平面視で前記受光部と前記指針指示軸部の周囲の空隙との間に、前記空隙から入射され前記受光部に至る外光が遮蔽される遮蔽部が設けられていることを特徴とする指針式電子時計。
【請求項７】
請求項２から請求項６のいずれか１項に記載の指針式電子時計において、カレンダー表示部を備え、前記文字板及び前記ソーラ発電部には、カレンダー表示部を外側から視認可能なカレンダー窓が形成され、平面視で前記受光部と前記カレンダー窓との間に、前記カレンダー窓から入射され前記受光部に至る外光が遮蔽される遮蔽部が設けられていることを特徴とする指針式電子時計。
【請求項８】
請求項１から請求項７のいずれか１項に記載の指針式電子時計において、前記受光部は、平面視で前記ソーラ発電部の非透光性ソーラ発電層の内側に配置されていることを特徴とする指針式電子時計。
【請求項９】
請求項５から請求項７のいずれか１項に記載の指針式電子時計において、前記受光部と遮蔽部は、平面視で単一の前記ソーラ発電層の内側に配置されていることを特徴とする指針式電子時計。
【請求項１０】
請求項２から請求項９のいずれか１項に記載の指針式電子時計において、前記受光部は前記文字板側の近傍に配置され、前記発光部は裏蓋部の近傍に配置され前記発光部からの放射光が透光性の文字板側に放射され、その際、前記受光部は前記放射光を受光する様に受光面を前記裏蓋側に向けて配置されていることを特徴とする指針式電子時計。
【請求項１１】
請求項２から請求項９のいずれか１項に記載の指針式電子時計において、前記受光部と発光部は透光性の文字板側の近傍に配置され、前記発光部の放射光を反射させる反射部が前記裏蓋部の近傍に配置され、その際、前記受光部は前記発光部からの放射光を反射させる反射部の反射光を受光する様に受光面を前記裏蓋側に向けて配置されていることを特徴とする指針式電子時計。
【請求項１２】
請求項１から請求項１１のいずれか１項に記載の指針式電子時計において、前記ソーラ発電部より断面視で内方に配置された受信用アンテナを備えていることを特徴とする指針式電子時計。
【請求項１３】
請求項１２に記載の指針式電子時計において、前記文字板、前記ソーラ発電部のソーラ基板は、非金属からなり、前記受信用アンテナは前記文字板と前記ソーラ基板の少なくとも一方と平面視でオーバーラップして配置されていることを特徴とする指針式電子時計。
【請求項１４】
請求項１２に記載の指針式電子時計において、前記ソーラ発電部のソーラ基板は金属からなり、前記受信用アンテナは少なくとも一部が前記ソーラ基板と平面視でオーバーラップしない位置に配置されていることを特徴とする指針式電子時計。
【請求項１５】
請求項１２に記載の指針式電子時計において、前記光学的位置検出装置は、少なくとも一部が前記受信用アンテナと平面視でオーバーラップしない位置に配置されていることを特徴とする指針式電子時計。
【発明の詳細な説明】
【技術分野】
【０００１】
本発明は、電波修正時計、クロノグラフ時計等のように、例えば指針を取付けた歯車等の移動体の位置を光学的手段を用いて検出する位置検出装置を備えたアナログ式電子時計に関する。
【背景技術】
【０００２】
指針を駆動するアナログ式の電波修正時計やクロノグラフ時計等においては、振動や外部磁界等の影響により指針の送りにミスが生じると、内部の針位置カウンタと実際の指針の位置とに狂いが生じ、指針による時刻や計測時間を正しく表示できないことがある。そこで、指針の位置と針位置カウンタの値とが一致しているかどうかを確認するため、指針の位置検出を行う必要がある。
【０００３】
この種の電波修正時計等における指針位置検出手段としては、例えば発光素子と受光素子とを備える光センサを利用した光学的位置検出装置が知られている（例えば特許文献１、特許文献２）。
【０００４】
この光学的位置検出装置は、位置センサの発光素子と受光素子との間に、指針の回転に連動して動く歯車などの部材が配置されており、これらの部材には、特定の位置に検出光が通るための孔が設けられている。この孔を発光素子から出力される検出光が通り、受光素子が受光すると、前記指針が特定の位置にあることが検出できる。
【０００５】
一方、電波修正時計においては受信する際に消費電力を多く必要とすることから、外光を用いて発電するソーラ発電部を搭載したものが知られている（例えば特許文献３）。
【０００６】
【特許文献１】特開２００４−１６３２４８号公報
【特許文献２】特開２０００−１６２３３４号公報
【特許文献３】特開２００３−１２１５６９号公報
【発明の開示】
【発明が解決しようとする課題】
【０００７】
上記特許文献１及び特許文献２の光学的位置検出装置は、発光素子から出光した光が受光素子で受光することにより各歯車の位置が正しいことを検出するものであるから、受光素子が発光素子から出光した光を確実に受光することが求められる。
【０００８】
ところが、アナログ式の電波修正時計やクロノグラフ時計等においては、受光素子の周辺に外光が入りやすい。例えば、文字板中央部には指針取り付け軸としての筒車が貫通する開口が設けられており、その開口と筒車との間隙から時計内部に外光が侵入しやすい。またカレンダー機構を搭載した場合は、文字板等のカレンダー窓から内部に外光が侵入しやすい。
【０００９】
この場合、特許文献３に見られるように、ソーラ発電部を文字板内方に配置したものの場合は、ソーラ発電部に外光を効率よく透過する必要があることから、文字板を透光性のある材料とするので、より内部に外光が入りやすい。
【００１０】
ことに、電波修正時計にあっては、内部のアンテナに外部の標準電波が届きやすくするために、文字板を非金属にし、ソーラ発電部、特にソーラ基板を非金属のプラスチック材で形成する場合は、ソーラ発電部を介して内部に外光がより侵入しやすくなる。
【００１１】
このように外光が時計内部に侵入すると、受光素子は、発光素子から出光した光だけでなく外光をも受光することになり、正しい位置検出が損なわれてしまう。あるいは位置検出の信頼性を高めようとすると発光素子の発光出力を大きくすることが必要となり、消費電力を多く必要とする。
【００１２】
本発明の目的は、受光素子が外光を受光し難くすることにより正しい光学的位置検出を可能とし位置検出の信頼性を高めることにある。さらに他の目的は、光学的位置検出装置の低消費電力化をもたらすことにある。
【課題を解決するための手段】
【００１３】
本発明の指針式電子時計は、ソーラ発電部と、指針を駆動する輪列と、発光部と受光部とを有し発光部からの放射光が輪列の各歯車に設けられた開口を通して受光部が受光することにより輪列の位置を検出する光学的位置検出装置と、文字板と、少なくとも前記ソーラ発電部と輪列と光学的位置検出装置とを収納可能な収納スペースを前記文字板とともに構成する外装ケース部と、を備えた指針式電子時計であって、前記文字板と前記外装ケース部における裏蓋部のどちらか一方は、前記ソーラ発電部が近傍に配置されるとともに透光性に構成されて前記一方の側から前記収納スペース側に外光が侵入可能であり、上記裏蓋部と文字板の他方は、非透光性に構成されて前記他方の側から前記収納スペース側に外光がほぼ侵入しないように構成され、前記受光部は、前記透光性に構成された文字板又は裏蓋部の近傍に配置され、且つ前記外光がほぼ侵入しないように構成された裏蓋部又は文字板側から放射される前記発光部からの放射光に対向して配置されていることを特徴とする。
【００１４】
このような本発明によれば、前記文字板又は前記外装ケース部における裏蓋部の一方は、前記ソーラ発電部が近傍に配置されるとともに、透光性に構成されて前記一方の側から前記収納スペース側に外光が侵入可能であり、他方は非透光性に構成されて前記他方の側から前記収納スペース側に外光がほぼ侵入しないように構成されているので、外光はソーラ発電部が近傍に配置されている側の文字板又は外装ケース部の裏蓋部から収納スペースに侵入されるだけとなる。この場合、前記受光部は、外光が侵入される側の透光性の文字板又は裏蓋部の近傍に配置され、外光がほぼ侵入しない裏蓋部側又は文字板側に向かって配置されるのであるから、外光を受光しにくくなり、前記発光部からの放射光（出光）を確実に受光しやすくなる。よって発光部からの放射光をより確実に受光して、位置検出の信頼性を高めることが可能となる。また、外光を受光し難くなるから、発光部の発光出力を低下することが出来、低消費電力化を実現できる。
【００１５】
上記外光は、ソーラ発電部が近傍に配置されている側の文字板又は外装ケース部の裏蓋部から収納スペースに侵入されるのであるが、例えばソーラ発電部が文字板側に配置されている場合は、文字板やソーラ発電部の指針指示軸部（筒車等）が文字板上面側に突出する為の開口から前記収納スペースに外光が侵入したり、カレンダー表示手段である例えば日車を備えた場合、文字板やソーラ発電部に日車の日文字を目で見ることが出来るように開口したカレンダー窓（日窓等）から外光が前記収納スペースに侵入したり、ソーラ発電部のソーラ基板が非金属で透光性に構成されソーラ基板の表面側に配置されたソーラ発電層が平面視で互いに間隙を有して隣接配置されている場合では、文字板と前記間隙とソーラ基板を介して前記収納スペースに外光が侵入する。その他、文字板外周部と外装ケース部との径方向に生じる隙間から前記収納スペースに外光が侵入する場合もあり、その他の場合もある。一方、ソーラ発電部が裏蓋側に配置されている場合は、裏蓋が透光性に構成されており、例えばソーラ発電部のソーラ基板が非金属で透光性で構成され、ソーラ基板の表面側に配置されたソーラ発電層が平面視で互いに間隙を有して隣接配置されている場合では、裏蓋と前記間隙とソーラ基板を介して前記収納スペースに外光が侵入する。
【００１６】
なお、外光がほぼ侵入しないとは、全く外光が侵入しない構造や材料を用いて裏蓋部や文字板を構成する場合の他、多少の外光が侵入しても、受光部が近傍に配置される他方側の文字板や裏蓋部に比べて外光が侵入し難い場合を含むものである。
【００１７】
また、外光がほぼ侵入しない側が、裏蓋側の場合は、金属で構成することができ、装飾性を高め、損傷し難くまた防水性を良好に構成できる。
【００１８】
また本発明の指針式電子時計は、前記文字板は透光性に構成され、前記外装ケース部は非透光性に構成されているが好ましい。
【００１９】
この構成によれば、外装ケース部は、上記収納部の側面と底面という収納部大半は外光を遮断されることから、外光は殆どが文字板側のみから侵入することになり、受光部の受光方向からの外光の侵入をより遮断しやすく、発光部の放射光のみを受光しやすくなる。
【００２０】
また本発明の指針式電子時計は、前記外装ケース部は金属から構成されていることが好ましい。
【００２１】
この構成によれば、この種時計の外観面積の大半を担う外装ケースが金属となるので、装飾的価値が高まる。すなわち、高級感をかもし出し、使用者の満足度を高めることが出来る。また損傷し難くなる。
【００２２】
また本発明の指針式電子時計は、前記ソーラ発電部は、ソーラ基板とソーラ基板に配置されたソーラ発電層とを有し、前記ソーラ基板は、非金属で且つ透光性に構成されていることが好ましい。
【００２３】
この構成によれば、ソーラ基板が非金属で構成されるから例えばフレキシブルな合成樹脂フィルム（ポリイミド樹脂等）で構成することができ、ソーラ基板の配線や製造を容易とすることができる。また、ポリイミド樹脂等のようにソーラ基板が非金属で且つ透光性に構成されているので、その内方に、外部電波、例えば時刻情報が盛り込まれた標準電波を受信するアンテナを配置する場合であっても、ソーラ基板によりアンテナの受信が妨げられることが無く、アンテナの配置の自由度が増大する。
【００２４】
また本発明の指針式電子時計は、複数個のソーラ発電層が平面視で互いに離間して配置され隣接するソーラ発電層間に平面間隙が形成されており、平面視で前記受光部と前記平面間隙との間に、前記平面間隙から入射され前記受光部に至る外光が遮蔽される遮蔽部が設けられていることが好ましい。
【００２５】
この構成によれば、上記平面間隙により外光が収納部側に侵入しても、前記平面間隙と受光部との平面視での間に構成された遮蔽部により外光が遮蔽されるので、受光部が外光を受光しにくくなり発光部の放射光の受光を損なうことが防止される。なお、遮蔽部は、外光をほほ完全に遮光する場合を含むが、遮蔽部が存在しない場合に比べて多少でも受光部への外光の侵入を阻害する場合も含む。この遮蔽部は、基枠からの突起でもよく、別部材を配置してもよく、あるいは受光部の構成部材により壁を設けるようにしてもよい。また、印刷、表面被膜、梨地等の粗表面に形成し、受光部への外光を妨げるものの全てを含む。
【００２６】
また本発明の指針式電子時計は、前記文字板、前記ソーラ発電部には、輪列の指針支持軸部が挿入され該指針指示軸部の周囲との間に空隙を有する指針支持軸部挿入開口部が形成され、平面視で前記受光部と前記指針指示軸部周囲の空隙との間に、前記空隙から入射され前記受光部に至る外光が遮蔽される遮蔽部が設けられていることが好ましい。
【００２７】
この構成によれば、上記指針指示軸部周囲の空隙により外光が収納部側に侵入しても、前記空隙と受光部との平面視での間に構成された遮蔽部により外光が遮蔽されるので、受光部が外光を受光しにくくなり発光部からの放射光の受光を損なうことが防止される。なお、遮蔽部は、外光をほほ完全に遮光する場合を含むが、遮蔽部が存在しない場合に比べて多少でも受光部への外光の侵入を阻害する場合も含む。この遮蔽部は、基枠からの突起でもよく、別部材を配置してもよく、あるいは受光部の構成部材により壁を設けるようにしてもよい。また、印刷、表面被膜、梨地等の粗表面に形成し、受光部への外光を妨げるものの全てを含む。
【００２８】
また本発明の指針式電子時計は、カレンダー表示部を備え、前記文字板及び前記ソーラ発電部には、カレンダー表示部を外側から視認可能なカレンダー窓が形成され、平面視で前記受光部と前記カレンダー窓との間に、前記カレンダー窓から入射され前記受光部に至る外光が遮蔽される遮蔽部が設けられていることが好ましい。
【００２９】
この構成によれば、上記カレンダー窓により外光が収納部側に侵入しても、前記カレンダー窓と受光部との平面視での間に構成された遮蔽部により外光が遮蔽されるので、受光部が外光を受光しにくくなり発光部の放射光の受光を損なうことが防止される。なお、遮蔽部は、外光をほほ完全に遮光する場合を含むが、遮蔽部が存在しない場合に比べて多少でも受光部への外光の侵入を阻害する場合も含む。この遮蔽部は、基枠からの突起でもよく、別部材を配置してもよく、あるいは受光部の構成部材により壁を設けるようにしてもよい。また、印刷、表面被膜、梨地等の粗表面に形成し、受光部への外光を妨げるものの全てを含む。
【００３０】
また、前記カレンダー窓は、実際に開口を設ける場合の他、実際の開口を設けなくとも周囲に不透明な処理を行いカレンダー窓の部分のみを透明・半透明に構成する場合も含む。
【００３１】
また本発明の指針式電子時計は、前記受光部は、平面視で前記ソーラ発電部の非透光性ソーラ発電層の内側に配置されていることが好ましい。
【００３２】
この構成によれば、受光部は、非透光のソーラ発電層の内方側、即ち収納スペース側に配置され平面視でその内側に配置されているので、受光部への外光が上記ソーラ発電層により妨げられ、受光部が外光を受光しにくくなり、発光部からの放射光を受光しやすくなる。
【００３３】
また本発明の指針式電子時計は、前記受光部と遮蔽部は、平面視で単一の前記ソーラ発電層の内側に配置されていることが好ましい。
【００３４】
この構成によれば、受光部と遮蔽部は、非透光の単一のソーラ発電層の内方側、即ち収納スペース側に共に配置され平面視でその内側に配置されているので、受光部への外光が上記ソーラ発電層により妨げられ、受光部が外光を受光しにくくなり、発光部からの放射光を受光しやすくなる。
【００３５】
上記の単一のソーラ発電層としたのは、受光部と遮蔽部はその単一のソーラ発電層に平面視でオーバーラップして覆われることになり、受光部と遮蔽部との平面視での間には、隣接するソーラ発電層との間に設けられている平面間隙が存在しなため、受光部による発光部の放射光をより確実に受光できるものである。
【００３６】
また本発明の指針式電子時計は、前記受光部は前記文字板側の近傍に配置され、前記発光部は裏蓋部の近傍に配置され前記発光部からの放射光が透光性の文字板側に放射され、その際、前記受光部は前記放射光を受光する様に受光面を前記裏蓋側に向けて配置されていることが好ましい。
【００３７】
この構成によれば、受光素子は、発光素子だけの放射光を受光しやすくなり、外光の影響をより減少することができる。
【００３８】
また本発明の指針式電子時計は、前記受光部と発光部は透光性の文字板側の近傍に配置され、前記発光部の放射光を反射させる反射部が前記裏蓋部の近傍に配置され、その際、前記受光部は前記発光部からの放射光を反射させる反射部の反射光を受光する様に受光面を前記裏蓋側に向けて配置されていることが好ましい。
【００３９】
この構成によれば、受光素子と発光素子を同一側に配置できるので、実装しやすくコンパクトに構成することができ、特に同一の回路基板に実装する場合は配線を短くすることが出来る。
【００４０】
また本発明の指針式電子時計は、前記ソーラ発電部より断面視で内方に配置された受信用アンテナを備えていることが好ましい。
【００４１】
この構成により、平面スペースが大きいアンテナ及びソーラ発電部を断面視で重ねることが出来、受信用アンテナの平面視方向での配置の自由度が増大する。また、アンテナにより標準電波等の外部の電波を受信することができる。
【００４２】
また本発明の指針式電子時計は、前記文字板、前記ソーラ発電部のソーラ基板は、非金属からなり、前記受信用アンテナは前記文字板と前記ソーラ基板の少なくとも一方と平面視でオーバーラップして配置されていることが好ましい。
【００４３】
この構成により、前記文字板、前記ソーラ発電部のソーラ基板は、非金属からなるので、外部の電波の受信を妨げることがなく、内部の受信アンテナが良好に受信することが出来るものである。特に、文字板が透光性でありその内方にソーラ発電部が配置される場合は、ソーラ発電部に外光が届き発電できるものであるが、その場合は、発電部での発電が可能になると共に、内方の受信アンテナでも電波を受信することが出来るという複合メリットを有する。
【００４４】
また本発明の指針式電子時計は、前記ソーラ発電部のソーラ基板は金属からなり、前記受信用アンテナは少なくとも一部が前記ソーラ基板と平面視でオーバーラップしない位置に配置されていることが好ましい。
【００４５】
この構成によれば、ソーラ基板は金属であるので、強度が確保でき薄型のソーラ発電部を構成することができる。その場合、受信アンテナは、その全部か一部（好ましくはアンテナの両端部）がソーラ基板と平面視でオーバーラップしない位置に配置されているので、金属のソーラ基板によって受信が損なわれることを防止する事が出来る。
【００４６】
また本発明の指針式電子時計は、前記光学的位置検出装置は、少なくとも一部が前記受信用アンテナと平面視でオーバーラップしない位置に配置されていることが好ましい。
【００４７】
一般に、前記光学的位置検出装置は、指針を駆動する輪列の上方又は下方に配置されるものであり、その輪列は複数の歯車で構成されるため断面方向では厚くなるものであり、前記光学的位置検出装置が上述の輪列と重なると、断面方向の厚みは更に厚くなる。他方、受信用アンテナは、弱い外部電波を効率よく受信する為にアンテナコアとそれに巻かれたアンテナコイルによって断面方向に大きなスペースを要する。従って、本発明の上記の構成によれば、断面方向に厚くなる前記光学的位置検出装置と受信アンテナが平面視でオーバーラップしない位置に配置されるので、両者がオーバーラップする場合に比べ薄くすることが可能となる。
【発明の効果】
【００４８】
本発明によれば、受光素子が外光を受光し難くすることにより正しい光学的位置検出を可能とし位置検出の信頼性を高めることが可能となる。さらに、光学的位置検出装置の低消費電力化をもたらすことができる。
【発明を実施するための最良の形態】
【００４９】
以下、本発明の実施の形態を図面に基づいて説明する。
【００５０】
〔第１実施形態〕
図１には、本発明の一実施形態に係るソーラ発電部付き電波修正指針式時計の主要断面図が示されている。上記ソーラ発電部付き電波修正指針式時計は、腕時計である。また図２には、図１の主要部の平面図が示されている。さらに図３には、分針２Ｂおよび時針２Ｃの位置を検出するフォトセンサ（光学的位置検出装置）付近の断面図が示されている。
【００５１】
これらの図１および図２において、１は、時刻情報が重畳された外部信号としての標準電波を受信して表示時刻を修正する針位置検出機能付きの電波修正時計の時計機械体（ムーブメント）であり、１２時間表示用である。
【００５２】
この時計機械体１には、時刻を表示する指針２（図１）が指針指示軸部に取付けられて図１の上方に突出している。
【００５３】
文字板３は、図１に図示されているように時計機械体１の上部に配置され、その中央部から前記指針指示軸部が上方に突出し、その先端に前記指針２が取付けられている。
【００５４】
上記時計機械体１、指針２、文字板３は、外装ケース１０１と、その上部に樹脂パッキン１０３を介して圧入されたカバーガラス１０２と、外装ケース１０１の下部に樹脂パッキンな１０５を介して圧入固定された裏蓋１０４とにより構成された外装空間部１０６に収納されている。なお、裏蓋１０４は、外装ケース１０１と別体となっているが、両者が一体でもよい。また外装ケース１０１は、カバーガラス１０２を取付けるガラス縁を別体として有してもよく、その場合は、ガラス縁が外装ケース１０１にスナップ結合などにより一体化されるものである。上記外装ケース１０１、カバーガラス１０２、裏蓋１０４、ガラス縁を総称して、外装ケース部と称する。
【００５５】
上記文字板３の下部（図１の下側）には、ソーラ発電部としてのソーラパネル４が配置されている。
【００５６】
上記文字板３と上記外装ケース部とにより囲まれるスペースには、ソーラパネル４、時計機械体１を収納する収納スペース１０７が形成されている。この時計機械体１は、中枠１０４を介して収納スペース１０７に収納されている。
【００５７】
上記外装ケース１０１と裏蓋１０４は、黄銅、ステンレススチール、金合金、銀合金、チタン合金等の金属で構成され、必要に応じて表面メッキが施されている。このように時計外装ケース部が金属で構成されており、腕時計としての装飾性が高められている。なお、外装ケース部は、内部が非金属の例えば合成樹脂で形成しその表面に金属（前術したような金属）またはその合金の薄板を付着して金属調を現出するものであってもよい。
【００５８】
カバーガラス１０２は、透明な無機ガラスや有機ガラス（合成樹脂）で構成されている。文字板３は、無機ガラスや有機ガラスの非金属で、且つ透光性をもって構成されている。その表面には、装飾性を高める装飾被膜が付着されて、目盛りや表示文字やマークが施されている。
【００５９】
ソーラパネル４は、文字板３の直下に配置されている。その断面構造は、図４に示されているように、ソーラ基板４Ｂと、その上面に密着形成された半導体層のソーラ発電層４Ｃが一体に形成されている。ソーラ基板４Ｂは、非金属の合成樹脂で形成され、例えば回路基板にも用いられるポリイミド樹脂のフィルムで構成されている。このソーラ基板４Ｂは、非金属であるので、外光を透過しやすく、標準電波も透過しやすくなっている。ソーラ発電層４Ｃは、図５の平面図に見られるように、ソーラ基板４Ｂの全面積を４分割されて分散配置されている。ソーラ発電層４Ｃは、半導体で構成され、例えばこげ茶色で非透光性（非透明性）と鳴っている。各ソーラ発電層４Ｃ同士は、隣接する境に平面間隙４Ｄを設けて配置されている。各ソーラ発電層４Ｃは、直列に接続されて起電圧を高め、時計機械体１に配置された蓄電装置（図示せず）に充電されるようになっている。なお、各ソーラ発電層４Ｃの起電圧が十分高い場合は、その接続は並列接続であってもよく、その場合は、充電電流を高めることができるので、早期に充電することが出来る。
【００６０】
上記カバーガラス１０２、文字板３が透光性であるので、ソーラパネル４は、外光が照射すると直ちに発電し、蓄電装置を充電することが出来る。従って、電波修正時計にとっては、受信の際に多くの電力を必要とするが、その電力を早期に確保できる。
【００６１】
一方、上記カバーガラス１０２、文字板３が、非金属で構成される場合は、電波修正時計として、時計機械体１に設けられた受信用のアンテナ５０による電波の受信が妨げられることが無い。特にソーラ基板４Ｂを非金属で構成する場合は、電波をさえぎることがなく、アンテナ５０による電波受信を良好とする。
【００６２】
上記の場合、文字板３を透光性で非金属に形成し、その内方に配置したソーラパネルのソーラ基板４Ｂを上記の非金属で形成すると、その文字板３側に近接配置されたソーラ発電層４Ｃにより発電が容易になるとともに、文字板３側から侵入する外部電波が、文字板３とソーラ基板４Ｂとにより妨げられることがなく、電波受信が良好となる。つまり、ソーラ発電と外部電波の受信とを同時に実現できるものである。
【００６３】
時計機械体１は、詳述すると次の様に構成されている。即ち、時計機械体１は、図１の図示のように、時刻を表示する指針２と、指針２を駆動する指針用駆動手段２０と、日付（暦）を表示する暦表示機構としての日車３０と、日車３０を駆動するステッピングモータの暦用駆動手段（図示せず）と、電池を収納する電源収納部（図示せず）と、標準電波を受信するアンテナ５０と、外部から使用者が操作可能な外部操作手段（図示せず）と、指針用駆動手段２０、日車３０、暦用駆動手段（図示せず）、電源収納部（図示せず）、およびアンテナ５０を支持固定して収納するケースとしての地板１０とを備える。地板１０は、平面形状略円形に形成されており、外光が侵入したとしても反射しないように表面が非鏡面（例えば多少の梨地）に表面仕上げされ、また出来るだけ黒色系で形成されている。このように形成されていると、外光が侵入しても反射が生じないので、受光素子７は発光素子６の放射光だけを確実に受光できる。この地板１０上に時計機械体１の各構成部品が配置されている。
【００６４】
なお、図２は、時計機械体１の時刻表示側とは反対側（裏蓋側）から見た図であり、この図において、上方向が時計１の３時方向、下方向が９時方向、右方向が１２時方向、左方向が６時方向となっている。
【００６５】
指針２としては、秒針２Ａ、分針２Ｂ、および時針２Ｃがあり、地板１０の略中央を中心に同軸上に回動可能に設けられている。これらの秒針２Ａ、分針２Ｂ、および時針２Ｃは、時刻表示側に設けられ、文字板３上の文字などを指し示すことにより、時刻を表示する。
【００６６】
指針用駆動手段２０は、秒針２Ａを駆動するための秒針モータ２１と、時針２Ｃおよび分針２Ｂを駆動するための時分針モータ２６とを備える。また、秒針２Ａと秒針モータ２１との間には、秒針モータ２１からの駆動力を秒針２Ａに伝達する秒針用減速輪列２２が設けられ、時針２Ｃおよび分針２Ｂと時分針モータ２６との間には、時分針モータ２６からの駆動力を時針２Ｃおよび分針２Ｂに伝達する時分針用減速輪列２７が設けられている。
【００６７】
秒針モータ２１は、ステッピングモータで構成され、ロータ磁石２１１Ｂを有するロータ２１１と、ロータ２１１を回転可能に保持するステータ２１２と、ステータ２１２に接するコイル２１３とを備える。秒針モータ２１は、時計１の略９時方向に配設され、ロータ２１１が地板１０の中央側に、コイル２１３が地板１０の外周側になる位置に配置されている。
【００６８】
秒針用減速輪列２２は、ロータ２１１に一体的に形成されたロータかな２１１Ａに噛合する秒中間車２２１と、秒中間車２２１に噛合する秒車２２２とを備えている。秒車２２２には、秒針２Ａが固定されている。コイル２１３にモータパルスを流すと、電磁誘導によりステータ２１２に磁路が形成され、ロータ２１１が１パルスで半回転する。この回転運動は、ロータかな２１１Ａ、秒中間車２２１、および秒車２２２の順に適切な減速比（増速比）で減速されながら伝達され、秒針２Ａが１パルス１秒の所定速度で回動する。
【００６９】
秒中間車２２１には、秒針２Ａの１２時位置を検出するための秒検出車２２３が噛合されている。秒中間車２２１および秒検出車２２３には、互いに重なりあう領域に、それぞれ検出孔２２１Ａ，２２３Ａが形成されており、秒中間車２２１および秒検出車２２３の位相は、秒針２Ａが１２時の位置に配置されたときにこれらの検出孔２２１Ａ，２２３Ａの位置が一致するように設定されている。つまり、１２時位置が秒針２Ａの基準位置である。ここで、秒検出車２２３は、秒車２２２と同じ径寸法に形成されているため、検出孔２２１Ａ，２２３Ａは１分間に一度、位置が一致するようになっている。
【００７０】
検出孔２２１Ａ，２２３Ａが一致する断面方向の上下位置には、フォトセンサ（光学的位置検出装置）が設けられている。図３に図示される様に、フォトセンサは、発光素子（発光部）６と受光素子（受光部）７とを備え、これらの発光素子６および受光素子７は、秒中間車２２１および秒検出車２２３の断面視方向（厚み方向）両側に設けられ、これらを挟んで互いに対向して配置されている。秒中間車２２１と秒検出車２２３が回動して検出孔２２１Ａ，２２３Ａが一致すると、フォトセンサの発光素子６からの放射光（出光）が検出孔２２１Ａ，２２３Ａを貫通して受光素子７で受光されるため、秒針２Ａが１２時（０秒）の位置であることが検出される。また、本実施形態では、秒車２２２や秒検出車２２３の材質が金属であるのに対し、秒中間車２２１の材質はよりコスト面で優位な合成樹脂を採用している。また、合成樹脂としては、検出孔２２１Ａ以外の部分での検出光に対する遮光性を考慮し、黒系の色のものが良好に用いられる。このフォトセンサについては、後で詳述する。
【００７１】
時分針モータ２６は、秒針モータ２１と同様にステッピングモータで構成され、ロータ磁石２６１Ｂを有するロータ２６１と、ロータ２６１を回転可能に保持するステータ２６２と、ステータ２６２に接するコイル２６３とを備える。時分針モータ２６は、時計機械体１の略３時方向に配設され、ロータ２６１が地板１０の中央側に、コイル２６３が地板１０の外周側になる位置に配置されている。
【００７２】
時分針用減速輪列２７は、ロータ２６１に一体的に形成されたロータかな２６１Ａに噛合する第１の車としての五番車２７１と、五番車２７１に噛合する第２の車としての三番車２７２と、三番車２７２に噛合する第２の車としての二番車２７３と、二番車２７３に噛合する日の裏車２７４と、日の裏車２７４に噛合する筒車２７５とを備える。二番車２７３および筒車２７５は、秒車２２２と同軸上に配置され、二番車２７３には分針２Ｂが、筒車２７５には時針２Ｃが固定されている。コイル２６３に５秒周期でモータパルスを流すと、電磁誘導によりステータ２６２に磁路が形成され、ロータ２６１が１パルスで半回転する。この回転運動は、ロータかな２６１Ａ、五番車２７１、三番車２７２、二番車２７３の順に適切な減速比（増速比）で減速されながら伝達され、二番車２７３および分針２Ｂが１時間で一周する速度で回動する。また、二番車２７３の回転運動は、日の裏車２７４、筒車２７５の順に適切な減速比（増速比）で減速されながら伝達されて、筒車２７５および時針２Ｃが１２時間で１周する速度で回動する。
【００７３】
また、本実施形態において、ロータかな２６１Ａの歯数は、通常のクォーツ時計の場合の７枚よりも多く、１０枚となっている。ロータ２６１は、ロータ磁石２６１Ｂおよびロータかな２６１Ａの二部品で構成されており、後述するように、指針２の針位置検出を確実に行わせるためには、通常であれば、ロータ磁石２６１ＢのＮ極またはＳ極と、ロータかな２６１Ａの歯形との回転方向の位相を合わせることが要求されるが、本実施形態では、ロータかな２６１Ａの歯数を１０枚にし、ロータ磁石２６１Ｂとロータかな２６１Ａの位相が最大にずれても、ロータかな２６１Ａに噛合する五番車２７１の検出孔２７１Ａ（図３）への影響が実質的に生じないようにしてある。なお、秒針モータ２１を構成するロータかな２１１Ａも同様である。
【００７４】
図１に示されるように、日車（カレンダー表示部）３０は、断面視方向で地板１０において指針用駆動手段２０が設けられた側とは反対側の面に対向して設けられている。図１に示されるように、日車３０の上方（図１の上側）には、円盤状の文字板３が設けられており、この文字板３の外周部の一部には、日付を表示するための開口である日窓（カレンダー窓）３Ａが設けられ、日窓３Ａから日車３０の日数字や曜日、月数字を視認可能となっている。文字板３は、ガラスなどの光透過性（透光性）を有する材料で構成されており、文字板３と地板１０との間であって日車３０を覆う位置には、入射した光によって発電する発電手段としてのソーラパネル４が配置されている。ソーラパネル４にも日窓（カレンダー窓）４Ａが設けられ
日車３０は、リング状に形成され、ソーラパネル４と地板１０との間に配置されており、日車３０の内周面には内歯車が形成されている。日車３０の文字板３側の面には、日付を表す「１」から「３１」の文字が印刷などによって表示されている。曜日や月などの表示がされてもよい。
【００７５】
暦用駆動手段（図示せず）は、秒針モータ２１および時分針モータ２６と同様に、ステッピングモータで構成され、ロータ、ステータ、およびコイルを備える。暦用駆動手段は、時計１の略５時方向に配設され、ロータが地板１０の中央側に、コイルが地板１０の外周側に配置されている。
【００７６】
電源収納部（図示せず）には、電池（図示せず）が収納されている。電池は、二次電池であり、ソーラパネル４で発生した起電力は、この電池に充電される。電源収納部は、時計１の略１時方向に配設され、地板１０の外周側に配置されている。
【００７７】
ここで、電源収納部は、指針用駆動手段２０よりも地板１０の外周側（外側）に配置されている。したがって、電源収納部の略中心（円形の電池の中心）から指針２の回動中心までの距離は、指針用駆動手段２０（秒針モータ２１および時分針モータ２６）のロータ２１１，２６１の回転中心から指針２の回動中心までのそれぞれ距離よりも大きくなっている。
【００７８】
アンテナ５０は、図１、図４に二点鎖線で表示されているが、アンテナコア５１と、アンテナコア５１を収納するコア収納部と、コア収納部の一部に巻き回されるコイル５３とを備える。
【００７９】
アンテナコア５１は、アモルファスの薄板を複数枚積層して構成され、略中央に形成される略矩形状の曲線部５１１と、曲線部５１１の両端側に地板１０の外縁に沿って略円弧状に湾曲して形成される湾曲部５１２とを備える（図２参照）。
【００８０】
コア収納部は絶縁材料で構成され、アンテナコア５１と同様に略中央に形成される棒状の曲線部と曲線部の両端側に地板１０の外縁に沿って略円弧状に湾曲して形成される湾曲部とを備える。コア収納部において地板１０に対向する面には、凹状部が形成され、この凹状部にアンテナコア５１が収納されている。コア収納部５２が地板１０にねじ止めされることにより、アンテナ５０は、地板１０に固定されている。
【００８１】
コイル５３は、コア収納部の曲線部に巻き回されている。コア収納部の直線部の両端にはフランジ部５２３が形成されており、このフランジ部５２３によってコイル５３の巻きほどけが防止され、所定巻き数のコイル５３が均一に形成される。
【００８２】
コア収納部の一方の湾曲部には、コイル５３の端部が接続された回路基板が固定されている。回路基板は、絶縁材料で構成されるフレキシブル基板で構成され、この回路基板上には、アンテナ５０の同調周波数調整用の電気素子としてのコンデンサが複数個実装されている。この回路基板は、コア収納部の端部において裏蓋側の回路ブロック６Ａ（図３）に導通している。
【００８３】
この回路ブロック６Ａは、前述の発光素子６の他、図示を省略するが、基準クロックを発振する計時用の水晶振動子や、ＣＰＵ、標準電波の信号のみを通過させるバンドパスフィルタ用水晶振動子、アンテナ５０で受信した標準電波を処理する受信用ＩＣ（受信用回路）等とを備えて構成されている。ＣＰＵは、計時用の水晶振動子からの周波数を分周して基準クロックを生成する分周回路や、基準クロックをカウントして時刻を計時する計時回路や、計時回路からの信号に基づいて指針用駆動手段２０や暦用駆動手段を制御する制御回路などを備えて構成されている。また、受信用ＩＣは、アンテナ５０で受信した標準電波を復調する復調回路や、受信信号を増幅する増幅回路などを備えて構成されている。
【００８４】
外部操作手段（図示せず）は、時計機械体１の略３時方向に配設された巻真（図示せず）と、時計機械体の略２時方向および略４時方向にそれぞれ配設された図示しないボタンとを備える。巻真は、引き出し量によって複数のモードに切換可能なスイッチング機能を有し、例えば巻真を一段引き出すと日車３０の手動修正モードとなり、ボタンを押すことによって日車３０を回動させることが可能となる。また、例えば巻真を二段引き出すと、時刻修正モードとなり、ボタンを押すことによって指針２を回動させることが可能となる。
【００８５】
また、ボタンは、押すことによって情報を表示可能となっており、例えば巻真を引き出さない状態でボタンを押すと、前回の標準電波の受信結果（受信の成否）が表示されるようになっている。この受信結果の表示は、例えば受信成功の場合には秒針２Ａが１０秒のところを示し、受信失敗の場合には、秒針２Ａが２０秒のところを示すように設定される。この受信結果の表示は、所定時間（例えば５秒）行われ、所定時間経過後には秒針２Ａは元の位置に戻り、現在時刻を表示する。なお、ボタンの操作によって標準電波を強制的に受信させる場合には、ボタンの操作とともに、秒針２Ａの位置によって標準電波を受信可能な環境か否かを表示させてもよい。
【００８６】
図３には、分針２Ｂおよび時針２Ｃの位置を間接的に検出するフォトセンサ（光学的位置検出装置）が示されている。
【００８７】
五番車２７１、三番車２７２、二番車２７３、秒車２２２、および筒車２７５には、図２にも示されるように、互いに重なり合う領域にそれぞれ検出孔２７１Ａ，２７２Ａ，２７３Ａ，２２２Ａ，２７５Ａが形成されている。時針２Ｃ、分針２Ｂ、および秒針２Ａが１２時の位置に配置された時に、これらの検出孔２７１Ａ，２７２Ａ，２７３Ａ，２２２Ａの位置が一致するように設定されている。つまり、秒針２Ａの他、時針２Ｃおよび分針２Ｂの基準位置も１２時位置である。
【００８８】
検出孔２７１Ａ，２７２Ａ，２７３Ａ，２２２Ａ，２７５Ａが一致する位置には、秒針モータ２１に設けられたのと同様の透過型のフォトセンサが設けられており、検出孔２７１Ａ，２７２Ａ，２７３Ａ，２２２Ａ，２７５Ａの位置が一致すると、発光素子６から放射（出光）された光を受光素子７が受光して検知し、これにより時針２Ｃ、分針２Ｂ、および秒針２Ａが全て１２時位置、つまり、基準位置の状態であることが検出される。したがって、本実施形態では、受光素子７が地板１０とソーラパネル（ソーラ発電部）４との間に配置された回路ブロック７Ａに実装され、また、発光素子６が輪列受８を覆う回路ブロック６Ａに実装されているが、これらの受光素子７，発光素子６間に５つの車２７１，２７２，２７３，２２２，２７５が配置されていることになる。この際、地板１０にも、透光を阻害しないように、透光孔１０Ａが設けられていることは勿論である。さらに、時分針用減速輪列２７においては、五番車２７１および三番車２７２が前述の秒中間車２２１と同様に合成樹脂製である。
【００８９】
そして、１２時間表示の本実施形態の時計１では、指針２の基準位置は１２時間周期で廻ってくるため、同じく１２時間周期で回転する筒車２７５に検出孔２７５Ａを設けることで、時針２Ｃを含めた指針２の基準位置を、３６０度ある表示領域のうち１２時位置の一箇所に特定できる。なお、このような指針２が基準位置にあることを検出するための指針位置検出手段は、秒針位置検出手段と同様に、任意の検出方式を採用できる。
【００９０】
ここで、検出孔２７１Ａ，２７２Ａ，２７３Ａ，２２２Ａ，２７５Ａのうち、実際の針位置検出に重要とされるのは、ロータかな２６１Ａに噛合する五番車２７１の検出孔２７１Ａと、これに噛合する三番車２７２の検出孔２７２Ａである。これらの車２７１，２７２は回転速度が他の車２７３，２２２，２７５よりも速く、検出孔２７１Ａ，２７２Ａ同士が重なり合っている期間は、モータパルスにして１パルス分である。したがって、検出孔２７１Ａ，２７２Ａを用いて針位置検出を行うことは、モータパルスの数パルス分の間は重なり続ける可能性のある検出孔２７３Ａ，２７５Ａだけを用いて基準位置を検出する場合に比し、指針２を基準位置に正確に合わせることができる。このことからすれば、検出孔２７１Ａ，２７２Ａの孔径は、加工可能な範囲で小さければよく、他の車２７３，２２２，２７５の検出孔２７３Ａ，２２２Ａ，２７５Ａの孔径は、検出孔２７１Ａ，２７２Ａでの光透過を阻害しない程度に十分に大きくてよい。
【００９１】
ただし、本実施形態では、五番車２７１の検出孔２７１Ａは、これと噛み合う三番車２７２の検出孔２７２Ａよりも大きく、二番車２７３の検出孔２７２Ａと同じに設定されている。具体的には、二番車２７３および筒車２７５の検出孔２７３Ａ，２７５Ａの孔径は０．５ｍｍ、三番車２７２および秒車２２２の検出孔２７２Ａ，２２２Ａの孔径は０．４ｍｍであるが、五番車２７１の検出孔２７１Ａの孔径も０．５ｍｍと大きい。
【００９２】
これは、五番車２７１と噛み合っているロータかな２６１Ａの歯数を、前述したように１０枚にし、互いの位相合わせをなくしたためである。すなわち、位相がずれている場合でも、五番車２７１の検出孔２７１Ａを大きめに設けておくだけで、そのずれ量を吸収でき、位相合わせが不要になるのである。秒中間車２２１側でも同様である。
【００９３】
さらに、本実施形態のように、時分針２Ｃ，２Ｂを有する時分針用減速輪列２７と、秒針２Ａを有する秒針用減速輪列２２が別々のモータ２１，２６で駆動されるうえ、時分針２Ｃ，２Ｂが取り付けられた二番車２７３や筒車２７５とは平面視で重ならない位置に秒検出車２２３が設けられ、この位置にあるフォトセンサで秒針２Ａの基準位置が独自に検出されるため、秒針２Ａと時分針２Ｃ，２Ｂとを個別に効率よく回転させて基準位置に合わせることができる。また、時分針２Ｃ，２Ｂが単独の時分針モータ２６で駆動されるので、例えば時差修正を行うのに好都合である。
【００９４】
なお、時分針位置検出部に秒車２２２の検出孔２２２Ａが重なっているため、実際に針位置検出を行う時には２つの輪列の検出を行う順番がある。まず、秒針用減速輪列２２の位置を検出することで秒車２２２の検出孔２２２Ａを正規の位相に合わせてから、時分針用減速輪列２７の位置を検出するのである。
【００９５】
ここで、上述したフォトセンサ（光学的位置検出装置）の構造を、その断面図である図３を中心に詳述する。
【００９６】
フォトセンサのうち、発光素子６は、裏蓋１０４側の回路ブロックの回路基板６Ａに実装されている。この発光素子６は、各歯車の検出孔２７１Ａ、２７２Ａ、２７３Ａ、２２２Ａ、２７５Ａが一致する直前から直後に掛けて発光するものである。受光素子７は、文字板３側、ソーラパネル４側に配置された回路ブロックを構成する回路基板７Ａに実装され、受光面が発光素子６側に向けて配置されている。受光素子７は合成樹脂の封止材７Ｃにより封止されていてもよく、その場合、発光素子６の放射光は透過するが外光を透過しにくい材料や表面処理が施されていることが好ましい。上記発光素子６が、発光するとその放射光を上記受光素子７が受光できれば、各検出孔２７１Ａ、２７２Ａ、２７３Ａ、２２２Ａ、２７５Ａの位置が一致していることが確認できる。従って、上記発光素子６と受光素子７は、上記各歯車の検出孔２７１Ａ、２７２Ａ、２７３Ａ、２２２Ａ、２７５Ａに対向する上下位置に配置されている。
【００９７】
ここで、受光素子７にとっては、外光が入りやすい文字板３、ソーラパネル４側に受光面を向けず外光が入らない裏蓋１０４側に受光面を向けているので、上記外光が受光素子周辺に侵入した場合にも、外光を受光し難くなる。
【００９８】
本実施形態では、筒車２７５（輪列の指針指示部）が文字板３、ソーラパネル４、回路ブロック７Ａの中央部の開口部３Ｂ、４Ｂ、７Ｂを貫通して上記文字板３上方に突出して時針２Ｃを取付けるように配置されているが、その筒車２７５と上記開口部３Ｂ、４Ｂ、７Ｂとの間に形成される空隙αから上記外光は侵入する。
【００９９】
そこで、受光素子７が上記間隙αからの外光の受光を防止するように地板１０に取り付けられた受光防止部材６０を設け、受光防止部材６０から回路基板７Ａに向けて外光防止壁６０Ａを突出している。この外光防止壁６０Ａは、平面視で開口部３Ｂ、４Ｂ、７Ｂと受光素子７との間に配置されており、断面視方向では回路基板７Ａに密着することが好ましい。
【０１００】
上記外光防止壁６０Ａは、外光を透過しない材質や色調であることが好ましく、合成樹脂の場合は、黒色系が好ましい。また金属で構成しても良い。また、非透光性で回路基板７Ａを構成する場合は、外光防止壁６０Ａは、断面視方向において、受光素子７の回路基板７Ａとの取付面から受光素子７の下端面までの高さを備えていれば良いので、回路基板７Ａ側から突出するように構成しても良い。
【０１０１】
なお、この外光防止壁６０Ａが、回路基板７Ａ、ソーラ基板４Ｂを貫通しソーラ発電層４Ｃの内面に密着するように延長してもよい。その延長部６０Ｂは、図３に鎖線で図示されている。このように構成すると、回路基板７Ａとソーラ基板４Ｂを、たとえば合成樹脂で透光性に形成してもソーラ発電層４Ｃが非透光となるので、前記外光防止壁６０Ａ、６０Ｂが透光性の回路基板７Ａとソーラ基板４Ｂを貫通し非透光性のソーラ発電層４Ｃの下面（内面）に接するので、上記間隙αから侵入する外光は、前記外光防止壁６０Ａ、６０Ｂ及びソーラ発電層４Ｃにより受光素子７に至ることが防止される。
【０１０２】
上記外光は、文字板３、ソーラパネル４の日窓３Ａ、４Ａからも侵入しやすいので、平面視で上記日窓３Ａ、４Ａと受光素子７との間に、地板１０から突出する外光防止壁１０Ａを設けるようにしている。この外光防止壁１０Ａは、外光防止壁６０Ａと同様に、回路基板７Ａに密着することが好ましく、外光を透過しない材質や色調であることが好ましく、合成樹脂の場合は、黒色系が好ましい。また金属で構成しても良い。また、非透光性に回路基板を構成する場合は、外光防止壁１０Ａは、断面方向において、受光素子７の回路基板７Ａとの取付面から受光素子７の下端面までの高さを備えていれば良いので、回路基板７Ａ側から突出するように構成しても良い。
【０１０３】
なお、この外光防止壁１０Ａが、ソーラ基板４Ｂ／又は回路基板７Ａを貫通しソーラ発電層４Ｃの内面に密着するように延長してもよい。その延長部１０Ｃは、図３に鎖線で図示されている。
【０１０４】
更に、前記ソーラパネル４は、ソーラ発電部の断面図である図４、図４の平面図である図５に図示されているようにソーラ発電層４Ｃが複数個に分割され、各々のソーラ発電層４Ｃ、４Ｃ間に平面間隙４Ｄが設けられており、ソーラ基板４Ｂが、合成樹脂であって半透明のポリイミド材で構成されているので、外光は上記平面間隙４Ｄから内部に侵入される。そこで、平面視で受光素子７と上記平面間隙４Ｄとの間に、地板１０から突出する外光防止壁１０Ｂを設けるようにしている。この外光防止壁１０Ｂも上述した外光防止壁６０Ａと同様に、回路基板７Ａに密着することが好ましく、外光を透過しない材質や色調であることが好ましく、合成樹脂の場合は、黒色系が好ましい。また金属で構成しても良い。また、非透光性に回路基板７Ａを構成する場合は、外光防止壁１０Ｂは、断面視方向において、受光素子７の回路基板７Ａとの取付面から下端面までの高さを備えていれば良いので、回路基板７Ａ側から突出するように構成しても良い。
【０１０５】
なお、この外光防止壁１０Ｂが、回路基板７Ａとソーラ基板４Ｂを貫通しソーラ発電層４Ｃの内面に密着するように延長してもよい。その延長部１０Ｄは、図４に鎖線で図示されている。
【０１０６】
図４においては、アンテナ５０が合成樹脂、例えばポリイミド樹脂のソーラ基板４Ｂや回路基板７Ａに平面視で覆われてそれらの下部に配置されているので、上記合成樹脂によって外部からの電波の受信を妨げられることがない。
【０１０７】
なお、上記外光防止壁６０Ａ、１０Ａ、１０Ｂは、材料が合成樹脂などのように比較的やわらかい場合は、先端を細く形成して、回路基板７Ａによりつぶすようにすると密着して外光を侵入しにくくする効果が向上する。
【０１０８】
なお、各検出孔２２１Ａ、２２３Ａの一致を検出するフォトセンサに関しても、上述した如くの外光防止壁を構成している。即ち、外光防止壁６０Ａは、平面視で開口部３Ｂ、４Ｂ、７Ｂと受光素子７との間に配置されている。また、地板１０から突出する外光防止壁１０Ａ、平面視で上記日窓３Ａ、４Ａと受光素子７との間に配置されている。さらに、外光防止壁１０Ｂは、平面視で受光素子７と上記平面間隙４Ｄとの間に配置されているものである。また、上記６０Ｂ、１０Ｃ、１０Ｄを上述の様に延長形成してもよい。
【０１０９】
〔第２実施形態〕
第１実施例は、指示部材位置検出装置が透過型の光検出手段を用いていたが、それに限ることはない。例えば図６に示されるように、反射型の光検出手段を用いてもよい。
【０１１０】
第２実施形態は、この反射型の光検出手段を用いたものである。図６は、第１実施形態と異なる部分だけを説明する。
【０１１１】
第２実施形態は、例えば回路ブロック７Ａ上に、発光素子６および受光素子７を備えた光検出手段６４を実装し、また歯車（図６では五番車２７１）の上面側の特定位置に反射板６５（反射部）を配置し、発光素子６からの放射光が反射板６５で反射され、それを受光素子７で受光することにより指針の位置を検出するように構成すればよい。このため、発光素子７および受光素子６は図６のように傾いて取り付けられる。
【０１１２】
本実施形態は、受光素子７を文字板３側に配置することにより、第１実施形態で説明したような外光が侵入してきたとしても、受光素子７がその受光面を裏蓋１０４側に向けているので、外光を直接に受光し難くなり、外光の影響を極力少なくすることが出来、反射板６５による発光素子６の反射光をより確実に受光することが出来る。
【０１１３】
第１実施形態と同様に、受光素子７の周囲には、前述の様に外光防止壁６０Ａ、１０Ａ、１０Ｂを設けると受光素子７が外光の受光をより防止する事が出来る。また、上記６０Ｂ、１０Ｃ、１０Ｄを上述の様に延長形成してもよい。
【０１１４】
更に反射板６５の周囲に外光防止壁６５Ａを反射板６５を囲むように配置すると、外光を反射することをより防止でき、受光素子７が反射光を確実に受光することが出来る。
【０１１５】
また、外光が侵入した場合に、反射しにくいように各歯車、地板、受部材、等の時計機械体１の構成部品において受光素子７に対向する面には反射防止処理を施したり、あるいは反射防止の効果を有する黒色系で構成することが好ましい。上記反射防止処理は、表面梨地処理をする他、反射防止膜を形成することなどがある。
【０１１６】
＜変形例＞
本発明は、上記各実施の形態に限られるものではなく、種々に変形・応用することができる。
【０１１７】
それらを、以下に例示する。
【０１１８】
〔変形例１〕
図７には、受光素子７を囲むように外光防止壁６０Ｂを円形状に形成したものである。
【０１１９】
図２では、外光防止壁６０Ａ、１０Ａを別々に分けて形成しているが、図７では一体に受光素子７を囲む円形状に形成している。この外光防止壁６０Ｂは、受光防止部材６０や、地板１０から突出させてもよく回路基板かに形成しても良い。受光素子６は、開口２７１Ａ、２７２Ａ、２７３Ａ、２２２Ａ、２７５Ａに対向する場所に配置されているが、開口２２１Ａ、２２３Ａにも対向する場所にも配置されているので、上記円形状外光防止壁６０Ｂ、６０Ｂは、その両者に形成されている。
【０１２０】
外光防止壁６０Ｂ、６０Ｂを円形状に形成しているので、前記指針指示部の空隙αからの外光、前記日窓３Ａ、４Ａからの外光の両者の受光を防止する事が出来る。
【０１２１】
〔変形例２〕
前記図５は、ソーラ発電部に設けられた外光防止壁１０Ａ、１０Ｂが、個々に形成されているが、図８は、外光防止壁１０Ｄが一体に受光素子７を囲む様に円形状に形成されている。外光防止壁１０Ｄは、地板１０から突出させてもよく回路基板７Ａに形成しても良い。受光素子６は、開口２７１Ａ、２７２Ａ、２７３Ａ、２２２Ａ、２７５Ａに対向する場所に配置されているが、開口２２１Ａ、２２３Ａに９対向する場所にも配置されているので、上記円形状外光防止壁１０Ｄ、１０Ｄは、その両者に形成されている。
【０１２２】
外光防止壁１０Ｄ、１０Ｄを円形状に形成しているので、前記指針指示部の空隙αからの外光、前記日窓３Ａ、４Ａからの外光、平面間隙４Ｄからの外光の全ての外光を防止する事が出来る。
【０１２３】
〔変形例３〕
第１実施形態は、文字板３、ソーラパネル４側を透光性に構成して外光が侵入しうるように、裏蓋は非透光性に構成されていたが、裏蓋１０４を透光性に構成しソーラパネル４を裏蓋１０４の内面に配置し、文字板側からの外光は殆ど侵入しないように構成する場合にも本発明は、適用される。
【０１２４】
その場合は、受光素子を裏蓋側に配置しその受光面を文字板側に向けて配置し、その発光素子は文字板側に配置するか、あるいは発光素子を裏蓋側に配置し反射板を文字板側に配置する。
【０１２５】
この場合も、受光素子は、外光を受けにくくなるので、誤検出をしにくくなる。
【０１２６】
〔変形例４〕
図４等に図示されたように、複数個のソーラ発電層４Ｃ、４Ｃが平面視で互いに離間して配置され隣接するソーラ発電層間に平面間隙４Ｄが形成され、平面視で前記受光素子６と前記平面間隙４Ｄとの間に、前記平面間隙４Ｄから入射され前記受光素子７に至る外光が遮蔽される遮蔽部である外光防止壁１０Ｂが設けられていたが、上記外光防止壁１０Ｂを設ける代わりに、前記平面間隙４Ｄに外光侵入防止部を埋め込んで外光が前記平面間隙４Ｄから受光素子７に侵入しないように構成してもよい。上記埋め込み形成される外光侵入防止部は、合成樹脂で構成してもよく、金属で構成してもよく、要は外光が透過しないように構成されていればよい。
【０１２７】
また、上記外光防止壁１０Ｂと、上記外光侵入防止部を併用してもよい。
【０１２８】
〔変形例５〕
受光素子７に外光が侵入する経路は、上述した場合に限定されない。例えば、文字板３と外装ケース１０１との平面視方向の間に設けた隙間から外光が前記収納スペース１０７に侵入する場合も、本発明は適用される。この場合も、受光素子７は、図３の様に文字板３側に配置され、その受光面が裏蓋１０４側を向くので、侵入した外光を受光しにくくなるものである。
【０１２９】
〔変形例６〕
本発明は、電波修正時計の針位置（指針が取付けられた指針車の位置）を検出する場合にかぎらず、クロノグラフ時計、タイマー等の針位置を検出する場合にも適用できる。
【図面の簡単な説明】
【０１３０】
【図１】本発明の第１実施形態に係るソーラ発電部付き電波修正指針式時計の主要断面図。
【図２】図１の主要部の平面図。
【図３】本発明の一実施形態に係るフォトセンサ（光学的位置検出装置）付近の断面図。
【図４】本発明の一実施形態に係るソーラ発電部の断面図。
【図５】図４の平面図。
【図６】本発明の第２実施形態に係るソーラ発電部付き電波修正指針式時計の主要断面図。
【図７】本発明の変形例におけるフォトセンサ（光学的位置検出装置）付近の平面図。
【図８】本発明の他の変形例におけるフォトセンサ（光学的位置検出装置）付近の平面図。
【符号の説明】
【０１３１】
１・・・電波修正時計の時計機械体、２・・・指針、２Ａ・・・秒針、２Ｂ・・・分針、２Ｃ・・・時針、３・・・文字板、３Ａ・・・日窓（カレンダー窓）、４・・・ソーラパネル（ソーラ発電部）、４Ａ・・・ソーラ発電部の日窓（カレンダー窓）、４Ｂ・・・ソーラ基板、４Ｃ・・・ソーラ発電層、４Ｄ・・・ソーラ発電層間の平面間隙、６・・・発光素子（発光部）、６Ａ・・・回路基板、７・・・受光素子（受光部）、１０・・・地板、１０Ａ・・・外光防止壁（遮蔽部）、１０Ｂ・・・外光防止壁（遮蔽部）、１０Ｃ・・・外光防止壁（遮蔽部）、１０Ｄ・・・外光防止壁（遮蔽部）、２２・・・秒針用減速輪列（輪列）、２７時分針用減速輪列（輪列）、３０・・・日車、５０・・・アンテナ（受信用アンテナ）、６０・・・受光防止部材、６０Ａ・・・外光防止壁、６０Ｂ・・・外光防止壁、６５・・・反射板、６５Ａ・・・外光防止壁、１０１・・・外装ケース（外装ケース部）、１０２・・・カバーガラス、１０４・・・裏蓋（外装ケース部の裏蓋部）、１０６・・・外装空間部、１０７・・・収納スペース、２２１Ａ、２２３Ａ・・・検出孔、２７１Ａ、２７２Ａ、２７３Ａ、２２２Ａ、２７５Ａ・・・検出孔（開口）、２２１Ａ、２２３Ａ・・・開口、α・・・開口部３Ｂ、４Ｂ、７Ｂとの空隙。
【図１】
2007040863.tif 000003
【図２】
2007040863.tif 000004
【図３】
2007040863.tif 000005
【図４】
2007040863.tif 000006
【図５】
2007040863.tif 000007
【図６】
2007040863.tif 000008
【図７】
2007040863.tif 000009
【図８】
2007040863.tif 000010